(57)【要約】      （修正有）【課題】走行玩具の走行する環境が机や床などの走行面に限定されず、水上も走行することができ、遊びの幅を広げることができる走行玩具を提供する。【解決手段】走行玩具は駆動輪４と自由に回転する自由輪２と、駆動輪４を駆動する駆動装置３とを備え、駆動輪４の内側面、又は外側面の何れか一方又は両方に水掻き１０を設け、玩具本体１内部には走行玩具が水没しないようにする浮力体５を配置し、水掻き１０を、駆動輪４の車軸から放射状に配置された羽根部材１１で構成した。【選択図】図１
0003108864.tif 000002
【実用新案登録請求の範囲】
【請求項１】
以下の要件を備えることを特徴とする走行玩具。
（イ）玩具本体は駆動輪と自由に回転する自由輪と、駆動輪を駆動する駆動装置とを備えること
（ロ）上記駆動輪の内側面、又は外側面の何れか一方又は両方に水掻きを設けたこと
（ハ）上記玩具本体の少なくとも内部には走行玩具が水没しないように浮力体を配置したこと
【請求項２】
前記水掻きは、駆動輪の車軸から放射状に配置された羽根部材で構成され、該羽根部材の長さは駆動輪の半径よりも小さくした、請求項１記載の走行玩具。
【請求項３】
前記駆動輪を駆動する駆動装置は、プルバック式のゼンマイユニットである、請求項１又は２記載の走行玩具。
【請求項４】
前記浮力体を発泡体で構成した、請求項１、２又は３記載の走行玩具。
【考案の詳細な説明】
【技術分野】
【０００１】
本考案は、走行玩具、詳しくは走行面のみならず水上も走行することができる走行玩具に関するものである。
【背景技術】
【０００２】
従来、走行玩具としては様々なものが提案され実用化されている。特に、小型でありながら内部に駆動装置を備えた走行玩具が提案されている（例えば、特許文献１）。
【０００３】
この走行玩具は、玩具本体内部にゼンマイを駆動源とする駆動装置を備え、ゼンマイの巻き戻り力で駆動輪を回転させ走行させるようにしたものである。しかしながら、単に走行するだけでその走行状態は常に一定であり面白みにかけることから、駆動輪の回転の速度を変えることができる駆動ユニットが提案された（例えば、特許文献２）。
【０００４】
この駆動ユニットは、駆動軸と連動する切り替え部材によって減速歯車機構を定速機構から切り離し、低速走行から高速走行に自動的に切り替えて、走行玩具の走行速度を変えることができるようにしたものである。
【特許文献１】実開昭６１−６５９９０号公報
【特許文献２】特開平１１−７６６３３号公報
【考案の開示】
【考案が解決しようとする課題】
【０００５】
本考案が解決しようとする問題点は、走行玩具に上述の特許文献２の駆動ユニットを備えることにより、走行玩具の走行態様が単純である特許文献１の走行玩具の問題点を改善することはできるが、あくまで走行する場面は走行面に限定されるものであった。
【０００６】
本考案は、上記問題点を解決し、走行玩具の走行する環境が机や床などの走行面に限定されず、水上も走行することができ、遊びの幅を広げることができる走行玩具を提供することを課題とする。
【課題を解決するための手段】
【０００７】
前記課題を解決するために本考案に係る走行玩具は、以下の要件を備えることを特徴とする。
（イ）上記走行玩具は駆動輪と自由に回転する自由輪と、駆動輪を駆動する駆動装置とを備えること
（ロ）上記駆動輪の内側面、又は外側面の何れか一方又は両方に水掻きを設けたこと
（ハ）上記玩具本体の少なくとも内部には走行玩具が水没しないように浮力体を配置したこと
なお、前記水掻きは、駆動輪の車軸から放射状に配置された羽根部材で構成され、該羽根部材の長さは駆動輪の半径よりも小さくし、走行時に水掻きが走行面に接触しないようにすればよい。
【０００８】
また、前記駆動輪を駆動する駆動装置は、プルバック式のゼンマイユニットで構成すればよい。
【０００９】
そして、前記浮力体を発泡体で構成し、走行玩具が水没しないすることが好ましい。
【考案の効果】
【００１０】
請求項１の考案によれば、走行面だけではなく、水上も走行させることができる走行玩具を実現することができ、走行玩具遊びの幅を広げることができる。
【００１１】
請求項２の考案によれば、水掻きが走行面に当たることがないので、走行面をスムーズに走行させることができる。
【００１２】
請求項３の考案によれば、駆動装置をプルバック式のゼンマイユニットで構成したので、ゼンマイの巻き上げも簡単で、小型の水陸両用の走行玩具を実現することができる。
【００１３】
請求項４の考案によれば、浮力体を発泡体で構成したので、発泡体を玩具本体の内部に充填するだけで、水に沈まない走行玩具を作り上げることができる。
【考案を実施するための最良の形態】
【００１４】
走行玩具は駆動輪と、自由に回転する自由輪と、駆動輪を駆動する駆動装置とを備え、上記駆動輪の内側面、又は外側面の何れか一方又は両方に水掻きを設け、玩具本体の少なくとも内部には走行玩具が水没しないようにするための浮力体を配置した。
【実施例１】
【００１５】
図１、図２は、本考案に係る走行玩具の斜視図及び側面図を示し、この走行玩具は玩具本体１に自由に回転する自由輪（前輪）２と、玩具本体１の内部に収容されたゼンマイを駆動源とする駆動装置３と、この駆動装置３によって回転駆動される駆動輪（後輪）４とを備えたもので、玩具本体１の内部及び底部には玩具本体１が水に浮くように浮力体５が配置され、駆動装置３によって駆動輪１を回転させることにより、机や床などの走行面の上を走行させることができるとともに、水上も走行させることができるようにしたものである。
【００１６】
駆動装置３は駆動輪４を床等の走行面に接触したまま後退させて、駆動輪４を後転させる所謂プルバック操作をすると、内装したゼンマイが巻き上げられ、手を離すと、ゼンマイの巻き戻り力で上記駆動輪４が前転し、走行玩具が前進走行するように構成されている、公知のゼンマイユニットで構成されているものである。
【００１７】
なお、浮力体５は発泡材（例えば、発泡スチロール）で構成され、この発泡材５は玩具本体１の内部を充満するように配置すればよい。この発泡材５は板状に形成して、図３に示すように、玩具本体１の底面にも接着剤などの適宜方法で取り付けることにより、さらに大きな浮力が得られるようにしてもよい。
【００１８】
そして、上記駆動輪４の内側には、水上走行ができるように水掻き１０が設けてある。この水掻きは、図３、図４に示すように、駆動輪４の車軸から放射状に配置された羽根部材１１で構成され、この羽根部材１１の長さは駆動輪４の半径よりもやや小さく形成され、走行面を走行する際に、羽根部材１１の先端が走行面に接触しないようになっている。
【００１９】
なお、上記水掻き１０は、駆動輪４の内側に限定されるものではなく、外側にあってもよいし、両側にあってもよい。
【００２０】
上記構成の走行玩具によれば、図５（ａ）に示すように、車輪を床等の走行面に接触したまま後退させて、駆動輪４を後転させてゼンマイを巻き上げ、手を離すと、図５（ｂ）に示すように、ゼンマイの巻き戻り力で上記駆動輪４が前転し走行玩具を前進走行させることができる。この時、水掻き１０は走行面に接触しないので、従来の走行玩具と同様にスムーズに走行面を走行させることができる。
【００２１】
一方、走行玩具を水上走行させる場合は、図５（ａ）に示すように、車輪を床等の走行面に接触したまま後退させて、駆動輪４を後転させてゼンマイを巻き上げたら、そのまま手を離すことなく親指と人差し指で駆動輪４を両側から挟み、ゼンマイの巻き戻り力で上記駆動輪４が回転しないようにし、図６のように、水１２に浮かべ、手を離すとゼンマイの巻き戻り力で上記駆動輪４が回転を始める。走行玩具には駆動輪４は水中に没するが、玩具本体１は沈まないように、しかも水平になるように浮力体５が配置されているので、水中で駆動輪４が回転すると水掻き１０も回転して水を掻き始めるので、図７に示すように、水上を床面等の走行面と同じように走行させることができる。
【００２２】
なお、水掻き１０を構成する羽根部材１１は、図８に示すように、後方に向かって湾曲させて形成してもよい。このことにより、水をより確実に掻くことが期待でき、水上走行をより確実に行なわせることができる。
【図面の簡単な説明】
【００２３】
【図１】本考案に係る走行玩具の一例を示す斜視図
【図２】上記走行玩具の側面図
【図３】上記走行玩具の底面図
【図４】水掻きを説明する斜視図
【図５】（ａ）（ｂ）は上記走行玩具の走行面における使用状態を示す斜視図
【図６】走行玩具の水上走行を説明する側面図
【図７】走行玩具の水上での遊びの態様を示す説明図
【図８】水掻きの他の例を示す側面図
【符号の説明】
【００２４】
１    玩具本体
２    自由輪
３    駆動装置
４    駆動輪
５    浮力体
１０    水掻き
１１    羽根部材
【図１】
0003108864.tif 000003
【図２】
0003108864.tif 000004
【図３】
0003108864.tif 000005
【図４】
0003108864.tif 000006
【図５】
0003108864.tif 000007
【図６】
0003108864.tif 000008
【図７】
0003108864.tif 000009
【図８】
0003108864.tif 000010